(57)【要約】【課題】  ゴミ袋等の口部を固く閉鎖する場合とか、棒状やパイプ部材、新聞紙、段ボールなど、紐を用いて括ることが多いときに、簡単容易に紐締付けできる止具を提供する。【解決手段】  少なくとも二本の紐を通すことが出来る通し孔を有する略筒状の躯体壁面に紐の径よりも小幅のスリットを設け、該スリットの入口側にスリット幅よりも広幅のガイドを設けた括り紐締付け止具であり、スリットの略端部にスリットの幅よりも大きく紐の通常径よりも小さい幅の紐締付け止部を設け、前記スリットを筒状躯体の壁面の対称側に一対で設けた括り紐締付け止具である。【選択図】図１
2007297130.tif 000002
【特許請求の範囲】
【請求項１】
少なくとも二本の紐を通すことが出来る通し孔を有する略筒状躯体の壁面に紐の径よりも小幅のスリットを設け、該スリットの入口側にスリット幅よりも広幅のガイドを設けてなる括り紐締付け止具。
【請求項２】
スリットの略端部にスリットの幅よりも大きく紐の通常径よりも小さい幅の紐締付け部を設けた請求項１に記載の括り紐締付け止具。
【請求項３】
前記スリットを筒体の壁面の対称側に一対で設けた請求項１又は請求項２に記載の括り紐締付け止具。
【発明の詳細な説明】
【技術分野】
【０００１】
本発明は、紐を用いて袋の口部や束物を括るときに使用する括り紐締付け止具に関するものである。
【背景技術】
【０００２】
廃棄ゴミ袋等の口部は紐を使用してこれを回した後に結んで閉じるか、或いは袋の端を二つに分けたのちに二つの端を結ぶのが通常の閉じ方であった。金具等を用いて閉じることも考えられるが、不燃物の混入となり問題を生じるので実用的ではない。
【０００３】
ゴミ袋等の口部を紐を使用してこれを回した後に結んで閉じるとか、袋の端を分けたのちに分かれた二つの端を結ぶといった手間は、多忙な毎日を送る者に負担を科している。
そこで、輪ゴムを用いるとか、粘着テープを使用することもあるが、持ち運び時等に充分に堅固な閉じた状態を維持し難いという欠点があった。
【０００４】
更に、棒状やパイプ部材、新聞紙、段ボールなど、紐を用いて括ることが多いが、簡単容易に堅く括ることが難しいといった問題があった。
【０００５】
この改善策として、棒状やパイプ部材、新聞紙、段ボールなど、紐を用いて括る場合には、各種の結束装置があるが価格が高いし、作業も煩雑になる。
【特許文献１】特開平11-309001公報
【発明の開示】
【発明が解決しようとする課題】
【０００６】
解決しようとする問題点は、ゴミ袋等の口部を固く閉鎖する場合とか、棒状やパイプ部材、新聞紙、段ボールなど、紐を用いて括ることが多いときに、簡単容易に紐締付けできる止具を提供しようとするものである。
【課題を解決するための手段】
【０００７】
本発明は、少なくとも二本の紐を通すことが出来る通し孔を有する略筒状の躯体壁面に紐の径よりも小幅のスリットを設け、該スリットの入口側にスリット幅よりも広幅のガイドを設けた括り紐締付け止具であり、スリットの略端部にスリットの幅よりも大きく紐の通常径よりも小さい幅の紐締付け止部を設け、前記スリットを筒状躯体の壁面の対称側に一対で設けた括り紐締付け止具としたことを最も主要な特徴とする。
【発明の効果】
【０００８】
本発明の括り紐締付け止具は、ゴミ袋等の口部とかパイプ部材、新聞紙、段ボールなどを括った紐の二本の端部を通すことが出来る通し孔を通し、筒状躯体体のスリットのガイドから括り紐をスリット内に嵌めると、スリット幅よりも広幅の紐が径方向に弾性によってスリット内に固く締め付けられた状態となって緩まなくなる。特に、スリットを筒状躯体の壁面の対称側に一対で設けると、括った紐の二本の端部を通し孔に通した後、これらの二本の端部を強く両側へ引くと、躯体のスリットのガイドから括り紐がスリット内に嵌まり、スリット幅よりも広幅の紐が弾性によって細くなりながら両方のスリット内に固く嵌り、締め付けられて緩むことがない。加えて、紐の通常の径よりも小さい幅でスリットよりも大径の紐締付け止部を設けると、スリット内の括り紐がスリット内に嵌まったままの状態が強く維持されるという効果がある。ここにいう紐が径方向に弾性を有するための材質としては、ポリエチレン、ポリプロピレン等の合成樹脂フイルムを撚った状態のものが適している。
【発明を実施するための最良の形態】
【０００９】
本発明は、少なくとも二本の紐を通すことが出来る通し孔を有する略筒状の躯体壁面に紐の径よりも小幅のスリットを設け、該スリットの入口側にスリット幅よりも広幅のガイドを設けるといった最小の部品点数で、躯体のスリットのガイドから括り紐がスリット内に嵌まり、スリット幅よりも広幅の紐が弾性によって細くなりながら両方のスリット内に固く嵌り、締め付けられて緩むことがなくスリット内に嵌まったままの状態が強く維持されることを実現した。ここにいうスリットは入口側から次第に狭くなるように設けるとよい。
【実施例１】
【００１０】
図１から図５は、本発明装置の１実施例を示しており、図１は本発明の括り紐締付け止具の斜視図、図２〜５は使用状態を示す図である。
【００１１】
本発明の主体は括り紐締付け止具にあるので、ゴミ袋等の説明は省略する。
図１に示すように本発明の括り紐締付け止具は少なくとも二本の紐端部１０a，１０bを通すことが出来る通し孔１を有する略筒状の躯体２の壁面に、紐１０の径(太さ)よりも小幅のスリット３を設けている。そのスリット３の入口側にスリット幅よりも広幅のガイド４を設けた括り紐締付け止具である。通し孔１はゴミ袋等１１の口部とかパイプ部材、新聞紙、段ボールなどを括った紐１０の端部１０a，１０bの二本を通すことが出来る孔径であれば充分であるが、紐１０の端部を再度回して挿入できるように孔径はこれよりも大きくてもよい。
【００１２】
また、略筒状の躯体２にはスリット３の端部付近にスリット３の幅よりも大きく紐１０の通常径よりも小さい幅の紐締付け止部５を設けると更に強固に締付けた状態を維持することができる。更に、前記スリット３は筒状躯体２の壁面の対称側に一対で設けてもよいし、図９のようにスリット３を１ヵ所のみ設けた構造でもよい。
【００１３】
ここでこのような構造とした括り紐締付け止具の使用態様を説明すると、図２〜図４のようにゴミ袋１１等の口部とかパイプ部材、新聞紙、段ボールなどを括った括り紐10の端部１０a，１０bの二本を筒状の躯体２に挿通し、次いで図５に示すように括り紐10の端部１０a，１０bをそれぞれ反対方向に引くと、スリット３の入口側の広幅のガイド４から簡単に紐10の端部１０a，１０bがそれぞれスリット３内に括り紐１０の弾性に抗して入っていく。更に強く括り紐10の端部１０a，１０bをそれぞれ反対方向に引くと、図６に示すように括り紐１０の通常径よりも小さい幅の紐締付け止部５に嵌って外れることも、緩むこともなくなる。
【実施例２】
【００１４】
図７〜図９は本発明の括り紐締付け止具の他の例であって、少なくとも二本の紐端部１０a，１０bを通すことが出来る通し孔１を有する略筒状の躯体２の壁面に、紐１０の径(太さ)よりも小幅のスリット３を１つだけ設けている。スリット３の入口側にはスリット幅よりも広幅のガイド４を設けている。
【００１５】
この例でも図9のような棒材の束１２の括り紐10の端部１０a，１０bの二本を図８に示すように筒状の躯体２に挿通し、次いで括り紐10の端部１０a，１０bをそれぞれスリット方向に引くと、スリット３の入口側の広幅のガイド４から簡単に紐10の端部１０a，１０bがそれぞれスリット３内に括り紐１０の弾性に抗して入っていく。更に強く括り紐10の端部１０a，１０bを持って引くと、図８に示すように括り紐１０の通常径よりも小さい幅の紐締付け止部５に嵌って、外れることも、束材１２が緩むこともなくなる。
【００１６】
本発明の括り紐締付け止具は、上記用途以外にバッグ又はリュックサック等の袋体の開口を絞るための紐、ヘルメット又は帽子等を締め付けるための紐、或は衣服の裾又はウエスト等の周囲を絞り込むための紐等、径方向に弾性を有する紐等の締付けに不可欠な用途にも使用できる。
【図面の簡単な説明】
【００１７】
【図１】本発明の括り紐締付け止具の斜視図である。（実施例１）
【図２】本発明の括り紐締付け止具の使用状態を示す斜視図である。
【図３】本発明の括り紐締付け止具の使用状態を示す斜視図である。
【図４】本発明の括り紐締付け止具の使用状態を示す斜視図である。
【図５】本発明の括り紐締付け止具の使用状態を示す斜視図である。
【図６】本発明の括り紐締付け止具の使用状態を示す斜視図である。
【図７】本発明の括り紐締付け止具の他の実施例の斜視図である。（実施例２）
【図８】本発明の括り紐締付け止具の使用状態を示す斜視図である。
【図９】本発明の括り紐締付け止具の使用状態を示す斜視図である。
【符号の説明】
【００１８】
１    通し孔
２    略筒状の躯体
３    スリット
４    ガイド４
５    紐締付け止部
１０  括り紐
１０a  括り紐の端部
１０b  括り紐の端部
１１  袋
１２  束材
【図１】
2007297130.tif 000003
【図２】
2007297130.tif 000004
【図３】
2007297130.tif 000005
【図４】
2007297130.tif 000006
【図５】
2007297130.tif 000007
【図６】
2007297130.tif 000008
【図７】
2007297130.tif 000009
【図８】
2007297130.tif 000010
【図９】
2007297130.tif 000011